(57)【要約】【課題】天板上の調理スペースを減少させることなく操作手段の視認性や操作性を向上させたガスコンロを提供する。【解決手段】カウンタトップ２内に設けられるコンロ器体４と、カウンタトップ２上に設けられる天板部５と、コンロバーナ６と、コンロバーナ６を操作する操作手段３７とを備える。天板部５は、コンロバーナ６が露出する天面板１０と、天面板１０の外周に設けられて天面板１０をカウンタトップ２の上面から所定の高さを存した位置に支持する枠体１１とを備える。操作手段３７は、枠体１１の前側面を貫通して前方に延びる操作柄部４９と、操作柄部４９の先端に設けられて枠体１１の前側面から露出する操作摘み５６とを備える。【選択図】図３
2013124850.tif 000002
【特許請求の範囲】
【請求項１】
カウンタトップ内に設けられるコンロ器体と、カウンタトップ上に設けられる天板部と、コンロバーナと、コンロバーナを操作する操作手段とを備えるガスコンロにおいて、
前記天板部は、前記コンロバーナが露出する天面板と、該天面板の外周に設けられて該天面板を前記カウンタトップの上面から所定の高さを存した位置に支持する枠体とを備え、
前記操作手段は、前記枠体の前側面を貫通して前方に延びる操作柄部と、該操作柄部の先端に設けられて前記枠体の前側面から露出する操作摘みとを備えることを特徴とするガスコンロ。
【請求項２】
前記操作手段は、前記操作摘みの前端が前記カウンタトップ前端と前記枠体の前側面との間に位置するように設けられていることを特徴とする請求項１記載のガスコンロ。
【請求項３】
前記天板部の前記枠体は、前記操作手段の前記操作柄部が貫通する貫通孔を通る水平方向の線を境界として上下に分割可能とされていることを特徴とする請求項１又は２記載のガスコンロ。
【請求項４】
前記操作手段は、前記操作摘みにより前記操作柄部を水平方向に移動させて操作するものであることを特徴とする請求項１〜３の何れか１項記載のガスコンロ。
【発明の詳細な説明】
【技術分野】
【０００１】
本発明は、ガスコンロに関する。
【背景技術】
【０００２】
システムキッチンのカウンタトップに設置される所謂ドロップイン式のガスコンロは、カウンタトップの上面よりも下方に設けられるコンロ器体と、コンロ器体の上面を覆ってカウンタトップの上面に露出する天板とで構成されている。
【０００３】
従来、この種のガスコンロにおいては、複数のコンロバーナを天板上に備えている。そして、コンロバーナを操作するための点消火ボタンや火力調節レバー等の操作手段は、コンロ器体の前壁に配置されてカウンタトップの下方から露出している。
【０００４】
しかし、このように構成されたガスコンロでは、点消火ボタンや火力調節レバー等の操作手段が、調理を行う天板の上方位置よりも極度に下方に位置するため、使用者にとって操作手段の視認性や操作性が悪い。
【０００５】
一方、操作摘み等の操作手段を天板上に設けたガスコンロが知られている（例えば、下記特許文献１参照）。
【先行技術文献】
【特許文献】
【０００６】
【特許文献１】特開２００４−０４４８６４号公報
【発明の概要】
【発明が解決しようとする課題】
【０００７】
しかし、天板の上面に操作摘み等の操作手段を設けると、天板の一部の範囲が操作手段のために用いられ、コンロバーナの設置間隔が狭くなる等によって調理スペースが減少する。また、天板上はコンロバーナの輻射熱等により高温になるため、その影響で操作摘み等の操作手段も高温となるおそれがある。
【０００８】
上記の点に鑑み、本発明は、天板上の調理スペースを減少させることなく操作手段の視認性や操作性を向上させたガスコンロを提供することを目的とする。
【課題を解決するための手段】
【０００９】
かかる目的を達成するために、本発明は、カウンタトップ内に設けられるコンロ器体と、カウンタトップ上に設けられる天板部と、コンロバーナと、コンロバーナを操作する操作手段とを備えるガスコンロにおいて、前記天板部は、前記コンロバーナが露出する天面板と、該天面板の外周に設けられて該天面板を前記カウンタトップの上面から所定の高さを存した位置に支持する枠体とを備え、前記操作手段は、前記枠体の前側面を貫通して前方に延びる操作柄部と、該操作柄部の先端に設けられて前記枠体の前側面から露出する操作摘みとを備えることを特徴とする。
【００１０】
本発明は上記の構成により、天板部の枠体の前側であってカウンタトップの上側に操作摘みが設けられているから、操作摘みの視認性が高く操作もしやすい。また、操作摘みが枠体の前側面に配置されているので、天面板の上面に広い調理スペースが確保できる。また、操作摘みが枠体の前側面に配置されているので、操作摘みは天面板上のコンロバーナからの輻射熱を受け難く、天面板から操作摘みへの熱の伝達も少ないので操作時に使用者の不快感を軽減することができる。
【００１１】
また、本発明において、前記操作手段は、前記操作摘みの前端が前記カウンタトップ前端と前記枠体の前側面との間に位置するように設けられていることを特徴とする。これによれば、操作摘みへの不用意な接触が防止でき、操作手段の誤動作を防止することができる。
【００１２】
また、本発明において、前記天板部の前記枠体は、前記操作手段の前記操作柄部が貫通する貫通孔を通る水平方向の線を境界として上下に分割可能とされていることを特徴とする。これによれば、枠体を分割して上側の枠体を持ち上げることにより、コンロ器体上部が容易に開放され、同時に操作柄部の上方も開放されるので、例えば、操作手段のメンテナンスの際に操作摘みを操作柄部から取り外すといった煩わしい作業を不要とすることができる。従って、メンテナンス等のためにコンロ器体を開放させる必要がある場合、その作業性が高い。
【００１３】
また、本発明において、前記操作手段は、前記操作摘みにより前記操作柄部を水平方向に移動させて操作するものであることを特徴とする。操作柄部が水平方向に移動する操作手段は、例えば、回転式の操作柄部に比べて上下方向の寸法が比較的小さい。このため、天板部の高さ寸法を小さく抑えて天板部の外観を薄くすることができるので、カウンタトップ上に露出する天板部の美観を向上させることができる。
【図面の簡単な説明】
【００１４】
【図１】本発明の実施形態のガスコンロの設置状態を示す斜視図。
【図２】本実施形態のガスコンロの説明的正面図。
【図３】本実施形態のガスコンロの説明的側面断面図。
【図４】本実施形態のガスコンロの説明的背面図。
【図５】本実施形態のガスコンロの要部を拡大して示す説明図。
【図６】本実施形態のガスコンロにおける天板部の分離状態を示す説明的断面図。
【図７】本実施形態のガスコンロの他の使用状態を示す説明的正面図。
【図８】図７のガスコンロにおける飾り部材の取り付け状態を示す説明的断面図。
【発明を実施するための形態】
【００１５】
本発明の一実施形態を図面に基づいて説明する。本実施形態のガスコンロ１は、図１に示すように、システムキッチンのカウンタトップ２に形成されたコンロ用開口３（図２参照）に落とし込むようにして設置されるドロップインコンロである。
【００１６】
ガスコンロ１は、図２に示すように、コンロ器体４と、天板部５と、コンロバーナ６とを備えている。コンロ器体４は、図３に示すように、大略四角筒状の周壁７と、その底部を閉塞する底壁８とで構成されている。コンロ器体４の周壁７の上端には外側に水平に張り出す鍔部９が形成されている。鍔部９は、コンロ用開口３の周縁上面に掛止される。これにより、コンロ器体４は、コンロ用開口３の内側に吊設状態となる。
【００１７】
天板部５は、図１及び図３に示すように、コンロ器体４の上面を覆ってカウンタトップ２の上部に露出する。天板部５は、図３に示すように、平板状の天面板１０と、天面板１０の外周を囲って天面板１０を保持する枠体１１とで構成されている。
【００１８】
天面板１０は、耐熱ガラス板或いは比較的厚手の金属板により形成され、図示省略したコーキング材により枠体１１の上端部内側に接着されている。なお、図２及び図３に示すように、コンロ器体４の鍔部９には、天面板１０を支えるための複数の天面板支持部材１２が設けられている。天面板支持部材１２は、天面板１０の周縁部の下面に当接する。これにより、極めて大きな荷重が天面板１０に付与されても、その荷重はコンロ器体４の鍔部９を介してカウンタトップ２で支えられ、更に、枠体１１からの天面板１０の脱落が確実に防止される。
【００１９】
枠体１１は、所定の高さを有する周壁を備えている。この周壁は、図示しない平ネジ等によりコンロ器体４の鍔部９に連結された台枠部１３と、台枠部１３の上端部に分離可能に載置された上枠部１４とで構成されている。
【００２０】
図３に示すように、台枠部１３は、その略全周に、上枠部１４が着座する着座面１３ａと、着座面１３ａの内側に沿って起立する内縦壁１３ｂとを備えている。これにより、上枠部１４は、着座面１３ａに着座した状態で内縦壁１３ｂにより規制されて水平方向への移動が規制され、台枠部１３に対する上枠部１４の位置ずれが防止される。また、着座面１３ａの内側に内縦壁１３ｂが起立していることにより、万一煮汁等が上枠部１４と台枠部１３の着座面１３ａとの間に侵入するような事態が生じても、内縦壁１３ｂによって天板部５の内側への煮汁等の侵入を確実に阻止することができる。更に、図３及び図５に示すように、内縦壁１３ｂの外側面に傾斜を形成しておくことにより、上枠部１４を台枠部１３に載置する際に、上枠部１４が内縦壁１３ｂの傾斜に案内されて着座面１３ａへの着座が円滑に行われる。
【００２１】
天面板１０は、カウンタトップ２の上面から所定の高さを存した位置に設けられているが、これは、上枠部１４が、その上端部内側に天面板１０を保持していることによるものである。これにより、天板部５は、コンロ器体４の上方であってカウンタトップ２の上面よりも高い位置に、天面板１０と枠体１１とによる比較的広い内部空間を形成している。
【００２２】
コンロバーナ６は、図３に示すように、バーナヘッド１５と、スロート部１６と、ホルダ部１７とを備えている。バーナヘッド１５は、円周側面に多数の炎孔１８を備え、天面板１０に形成されたバーナ用開口１９を介して天面板１０の上方に配設されている。スロート部１６は、バーナヘッド１５の内部に連通する円筒状に形成され、バーナヘッド１５の中央部から下方に向って延設されている。
【００２３】
ホルダ部１７は、アルミニウム製ブロック材により形成され、スロート部１６を着脱自在に支持するスロート支持部２０と、スロート支持部２０の下方に対向する基体部２１とを備えている。スロート支持部２０は、スロート部１６と共にバーナヘッド１５を支持している。スロート支持部２０と基体部２１とは、支柱部２２によって一体に連結されている。
【００２４】
基体部２１の内部には、燃料ガスの供給路２３が形成されている。基体部２１の上面側には、燃料ガスの供給路２３に連通するノズル２４が設けられている。ノズル２４は、基体部２１とスロート支持部２０との間に立設され、スロート部１６の軸心に沿って上向きに燃料ガスを噴出する。
【００２５】
ノズル２４から噴出される燃料ガスは、ノズル２４の水平方向の周囲から燃焼用の一次空気を引き込みながらスロート部１６を通過してバーナヘッド１５に向う。このように、ノズル２４の水平方向の周囲である基体部２１とスロート支持部２０との間の空隙が、このコンロバーナ６の一次空気吸入部２５となっている。
【００２６】
バーナヘッド１５は、その内部において、スロート部１６を通過した燃料ガスと一次空気とが混合された混合ガスを生成し、炎孔１８から噴出させる。そして、バーナヘッド１５の炎孔１８から噴出する混合ガスにより火炎が形成される。
【００２７】
ホルダ部１７の支柱部２２には点火プラグ２６が支持されている。点火プラグ２６は、図示しないイグナイタの駆動によりバーナヘッド１５との間に点火のための火花放電を発生させる。
【００２８】
コンロ器体４の底壁８にはホルダ部１７を支持するバーナ支持台２７が設けられている。バーナ支持台２７は、金属片を折り曲げることにより形成され、カウンタトップ２の上面よりも高い位置にホルダ部１７を支持している。これにより、コンロバーナ６はコンロ器体４の内部にはなく、コンロバーナ６の一次空気吸入部２５は、天面板１０と枠体１１とによる天板部５の内部に位置される。
【００２９】
ここで、図３及び図４に示すように、枠体１１の後側面には、一次空気取り入れ口２８が開設されている。また、枠体１１の前側面には後述するレバー貫通孔２９（貫通孔）が形成されており、このレバー貫通孔２９も他の一次空気取り入れ口として機能する。一次空気取り入れ口２８とレバー貫通孔２９とは、何れも水平方向に開口している。
【００３０】
一次空気取り入れ口２８及びレバー貫通孔２９は、図３に示すように、カウンタトップ２の上部に位置していることにより、例えば、カウンタトップ２の上面より下方に位置するコンロ器体４の周壁７に一次空気取り入れ口を設けた場合に比べて、一次空気流の屈曲や蛇行が殆どなく、十分な量の一次空気を円滑に取り入れることができる。
【００３１】
また、前述した通り、コンロバーナ６の一次空気吸入部２５は、天面板１０と枠体１１とによる天板部５の内部に位置されていることにより、コンロバーナ６の一次空気吸入部２５と、枠体１１の後側面の一次空気取り入れ口２８と、枠体１１の前側面のレバー貫通孔２９とは、何れも略同等のレベルに位置する。
【００３２】
これにより、一次空気取り入れ口２８とレバー貫通孔２９とから一次空気吸入部２５に向う空気流を円滑且つ確実に形成することができる。更に、一次空気取り入れ口２８とレバー貫通孔２９とが枠体１１の前後の側面にあって互いに対向していることにより、一次空気吸入部２５に向う空気流が前後方向から偏ることなく形成することができる。
【００３３】
また、前述した通り、バーナ支持台２７により支持されたコンロバーナ６のホルダ部１７は、コンロ器体４の内部にはなく、枠体１１の内部でカウンタトップ２の上面よりも高い位置にある。
【００３４】
これにより、コンロ器体４の内部への熱のこもりを抑制することができる。また、一次空気流はコンロ器体４の上方に形成されるために、コンロ器体４の内部への熱のこもりが生じても一次空気に対する影響は少ない。また、ホルダ部１７は、枠体１１の内部で形成される一次空気流に接するので、一次空気流によるホルダ部１７の冷却効果が得られ、コンロバーナ６の過剰な温度上昇を抑えることができる。
【００３５】
しかも、一方の一次空気取り入れ口２８は、枠体１１の後側面にあって使用者に視認されることはなく、他方の一次空気取り入れ口をレバー貫通孔２９としたことにより、図１に示すように高い美観を維持して外観が一次空気取り入れ口により阻害されることがない。なお、一次空気取り入れ口は、枠体１１の前後の側面に限らず左右の側面に設けても良い。
【００３６】
ところで、天板部５の内部には一次空気流が形成されるが、天板部５の上部には天面板１０のバーナ用開口１９が位置しているため、バーナ用開口１９からの一次空気流の流出を防止する必要がある。そこで、図３に示すように、天面板１０は、バーナ用開口１９を閉塞する略円盤状の閉塞板３０を備えている。これにより、一次空気流がバーナ用開口１９を通過して上方に抜けることはない。
【００３７】
閉塞板３０は、バーナ用開口１９の内周縁に装着された環状部材３１上に載置される。また、天面板１０には五徳３２が載置されている。五徳３２は、複数の五徳爪３３とこれらの五徳爪３３を連結する環状の連結部材３４とで構成されている。なお、図示しないが、閉塞板３０には、点火プラグ２６及び失火検知用のセンサ類を貫通させるための小孔が形成されており、点火プラグ２６や失火検知用のセンサ類と小孔との隙間を封止する封止部材を設けることにより、天板部５の内部からの一次空気の漏れやバーナ用開口１９からガスコンロ１の内部への煮こぼれ汁等の侵入が防止されている。
【００３８】
コンロ器体４には、図３及び図５に示すように、ガスコック３５が収容されている。ガスコック３５は、コンロ器体４の周壁７の前面側を構成する前壁７ａの近傍位置に配置されている。ガスコック３５は、図示しない火力調整弁が内蔵されたコック胴部３６と、火力調整弁を操作する操作手段３７とを備えている。
【００３９】
コック胴部３６には、イグナイタ用の点火スイッチ３８が取り付けられている。また、コック胴部３６には、燃料ガスを導入する金属製のガス導管３９が接続状態で固定されている。更に、コック胴部３６からは、コンロバーナ６に燃料ガスを供給するガス供給管４０が延出している。ガス供給管４０は、ホルダ部１７の基体部２１に接続され、基体部２１の供給路２３を介してノズル２４に連通している。
【００４０】
ガス導管３９は、図３及び図４に示すように、コンロ器体４の周壁７の後面側を構成する後壁７ｂを貫通して設けられたガスホース接続部４１に接続されている。なお、図３において図示省略したガス導管３９とガスホース接続部４１との間には、ガスガバナ等が介設されている。また、図示しないが、ガスホース接続部４１にはガスホースが接続され、ガスホースは外部の燃料ガス供給源に接続される。
【００４１】
コック胴部３６は、図５に示すように、その上端部から前方に張り出す張出部４２を一体に備えている。この張出部４２は、コンロ器体４の前壁７ａの上端部に設けられた係止部４３により係止される。係止部４３は、コンロ器体４の前壁７ａの上縁の鍔部９の上面と、この鍔部９に溶接等により固着された押え部材４４とにより構成されている。コック胴部３６の張出部４２は、コンロ器体４の鍔部９の上面と押え部材４４とに上下から挟持され、コンロ器体４に係止された状態となる。この構成により、コック胴部３６の前端側とコンロ器体４の前壁７ａとの、例えばネジ等を用いた連結が不要となる。よって、ガスコック３５のコンロ器体４への取り付け工数が削減できる。
【００４２】
また、コック胴部３６のガス導管３９は、コンロ器体４の固定部４５により固定されている。固定部４５は、コンロ器体４の底壁８に固定された固定台４６と、固定台４６上にネジ止め連結された金属帯４７とにより構成される。金属帯４７は、ガス導管３９を内包して固定台４６にネジ止めされることにより、ガス導管３９を固定台４６上に固定する。これにより、コック胴部３６がガス導管３９を介してコンロ器体４の底壁８に固定される。更に、固定台４６には、コック胴部３６の底面に当接してコック胴部３６を下方から支持するコック胴部支持部４８が連設されている。
【００４３】
ガスコック３５をコンロ器体４に取り付けるときには、先ず、コック胴部３６の張出部４２をコンロ器体４の係止部４３に差し込み、次いで、コック胴部３６の底面をコック胴部支持部４８に当接させる。続いて、金属帯４７により固定台４６上にガス導管３９をネジ止め固定する。このように、コンロ器体４へのガスコック３５の取り付けは、ガス導管３９のネジ止め固定作業を上方から行えばが完了するので、作業性が極めて高い。また、係止部４３によってコック胴部３６とガス導管３９との設置位置が決まってから金属帯４７で固定するので、ガス導管３９の固定時にコック胴部３６に掛かる負荷を軽減することができる。
【００４４】
コック胴部３６の上部には、操作手段３７が設けられている。操作手段３７は、操作レバー４９（操作柄部）を備えている。操作レバー４９は、コック胴部３６に設けられた枢軸５０を介して水平方向に回動自在の回動板５１に設けられている。回動板５１は、軸受け５２と揺動軸５３とを備えており、揺動軸５３を介して操作レバー４９を上下方向に揺動自在に支持している。また、操作レバー４９の後端側と回動板５１との間には操作レバー４９の姿勢維持のためのバネ５４が設けられている。
【００４５】
操作レバー４９を水平方向にスライド移動させると、その動きがコック胴部３６の上部に設けられた弁動作軸５５に伝達される。そして、弁動作軸５５の回動により、コック胴部３６に内蔵された図示しない火力調整弁が作動する。
【００４６】
操作レバー４９の先端部には、操作摘み５６が取り付けられている。操作摘み５６はネジ部材５７をその下方から螺着することにより操作レバー４９の先端部に固定されている。操作摘み５６の下面には、ネジ部材５７の頭部を収容して使用者からの視認を防止すべく窪みが形成されている。この窪みがネジ部材５７の頭部に埋められることにより、操作摘み５６とカウンタトップ２との間の間隙が狭くなる。これにより、操作摘み５６とカウンタトップ２との間に使用者の指が入り込むことがなく、操作摘み５６の円滑な操作を行うことができる。
【００４７】
操作レバー４９は、前方に水平に延びて天板部５の枠体１１に形成されたレバー貫通孔２９を通って枠体１１の前側面から延出する。レバー貫通孔２９は、図１及び図２に示すように、操作レバー４９の移動範囲に対応する横長形状に形成されている。本実施形態のガスコンロ１においては、操作摘み５６を操作して操作レバー４９をレバー貫通孔２９の図中左端部から右端部に移動させると、火力が次第に大きくなるようになっている。
【００４８】
天板部５は、カウンタトップ２の上部に位置している。この天板部５の枠体１１の前側面から操作レバー４９を延出させることで、操作摘み５６はカウンタトップ２の上部に位置する。これによれば、カウンタトップ２の下方に操作摘みが配設された従来のガスコンロに比べて、使用者が操作摘み５６を視認しやすく、操作摘み５６の操作性も高い。
【００４９】
また、操作摘み５６が天板部５の枠体１１の前側面に位置しているので、天面板１０の上面に広い調理スペースが確保できる。しかも、天面板１０から操作摘み５６への伝達熱が少なく、操作摘み５６が高温になり難いので操作時に使用者の不快感を軽減することができる。
【００５０】
更に、図１及び図５に示すように、操作摘み５６は、カウンタトップ２の前端と天板部５の枠体１１の前側面との間に位置している。即ち、操作摘み５６は、カウンタトップ２よりも前方には突出していない。これによれば、調理の際に操作摘み５６への不用意な接触が防止できるので、操作手段３７の誤動作を防止することができる。
【００５１】
また、本実施形態においては、操作レバー４９によるスライド操作を採用したので操作手段３７の上下方向の寸法を小さくすることができ、図１及び図２に示すように、カウンタトップ２上に露出する天板部５の美観を向上させることができる。
【００５２】
また、前述したように、ガスコック３５がコンロ器体４に固定されたとき、係止部４３への張出部４２の係止によってコンロ器体４とコック胴部３６との間に位置ずれのない状態で固定されるので、レバー貫通孔２９に対する操作レバー４９の位置精度が高く、操作レバー４９を円滑に操作することができる。
【００５３】
また、図２に示すように、レバー貫通孔２９は、その図中左端部が消火位置として他部より上下方向の開口幅が大きく形成されている。消火位置の操作レバー４９は、レバー貫通孔２９における上下方向の開口幅が大きい部分で上方に位置され、操作摘み５６を水平方向に移動させようとしても図中右方向には移動させることができない状態となる。これにより、不用意な操作レバー４９の移動による点火が防止される。点火操作時には、操作摘み５６を下方に押し下げてから水平方向に移動させる。
【００５４】
ここで、図５に示すように、点火操作の際に操作摘み５６を下方に押し下げると、操作レバー４９を介してガスコック３５に下方向の荷重が付与される。更に、操作摘み５６を下方に押し下げた状態で操作摘み５６を水平方向に移動させると、操作レバー４９を介してガスコック３５に左右方向の荷重が付与される。しかし、前述した通り、本実施形態によれば、コック胴部３６は、係止部４３、固定部４５、及びコック胴部支持部４８によって他方向から確実に固定されるので、操作レバー４９の操作時に上下方向或いは左右方向の荷重が付与されても、ガスコック３５の固定状態が確実に維持される。
【００５５】
また、図５に示すように、操作レバー４９が操作時に押し下げられて下方に揺動すると、操作レバー４９とレバー貫通孔２９の下縁とが干渉して操作レバー４９やレバー貫通孔２９の下縁が傷つくおそれがある。そこで、本実施形態においては、操作レバー４９に合成樹脂製の被覆部材５８を設けている。これによれば、操作レバー４９が下方に揺動しても被覆部材５８がレバー貫通孔２９に円滑に摺接し、操作レバー４９やレバー貫通孔２９の下縁の傷つきが防止できる。
【００５６】
レバー貫通孔２９は、図２に示すように、天板部５の枠体１１を水平方向に貫通して形成されている。このため、天板部５の天面板１０上の煮こぼれ汁が枠体１１を伝わって流下しても、レバー貫通孔２９からコンロ器体４内部への煮こぼれ汁の侵入は極めて少ない。
【００５７】
しかし、例えば、使用者が調理を行う際に鍋の取り扱いを誤って煮汁をこぼす等の事態が生じて、ガスコンロ１の正面側から多量の煮汁が掛かってしまうと、煮汁の一部がレバー貫通孔２９からコンロ器体４内部へ流入することが考えられる。
【００５８】
そこで、図２及び図５に示すように、コック胴部３６の張出部４２を係止する押え部材４４には、防水壁５９が一体に設けられている。防水壁５９は、押え部材４４に設けることにより、レバー貫通孔２９に対向すると共にコック胴部３６の上部前方に位置するので、万一レバー貫通孔２９から煮こぼれ汁が侵入してもガスコック３５への付着を防止できる。
【００５９】
また、防水壁５９は、操作レバー４９の水平移動を阻害しない高さに立設されている。更に、図５に示すように、操作レバー４９が操作時に押し下げられて下方に揺動したときに、防水壁５９の先端が操作レバー４９に当接し、これ以上の操作レバー４９の揺動を規制する高さに形成されている。これにより、操作レバー４９が下方に押し下げられたときにガスコック３５に付与される下方向の荷重を防水壁５９が設けられている係止部４３を介してコンロ器体４で受けることができる。
【００６０】
また、前述の通り、ガスコンロ１は、天板部５の枠体１１が台枠部１３と上枠部１４とで分割可能とされている。これによれば、図６に示すように、上枠部１４を持ち上げるだけで極めて容易にコンロ器体４の上部全体が開放状態となる。
【００６１】
更に、図２に示すように、分割位置となる台枠部１３と上枠部１４との境界である水平方向の線は、レバー貫通孔２９を通る。これにより、図６に示すように、上枠部１４を持ち上げると、操作レバー４９及び操作摘み５６の上方が開放される。
【００６２】
このように、コンロ器体４の上部が容易に開放状態となるので、例えば、ガスコック３５のメンテナンスの際に操作摘み５６を操作レバー４９から取り外すといった煩わしい作業を不要とすることができ、コンロ器体４内部のメンテナンス作業が容易に行える。
【００６３】
更に、ガスコック３５は、コック胴部３６の上端部の張出部４２がコンロ器体４の前壁７ａの上端部の係止部４３に係止され、コンロ器体４の固定部４５でガス導管３９を固定することにより、コンロ器体４にとりつけられている。これにより、図６に示すように、枠体１１の上枠部１４を持ち上げてコンロ器体４の上部を開放させるだけで、ガスコック３５の取り付けや取り外し作業が容易に行えるようになる。このように、本実施形態のガスコンロ１は天板部５の枠体１１が上下に分割自在とされていることにより、メンテナンス時の作業性が極めて高い。
【００６４】
なお、本実施形態のガスコンロ１は、図１に示すように、カウンタトップ２のコンロ用開口３（図２参照）に落とし込んで設置するドロップインコンロであるが、カウンタトップ２から取り外してテーブルコンロとして使用してもよい。
【００６５】
ガスコンロ１をテーブルコンロとして使用する場合には、図７及び図８に示すように、コンロ器体４の底壁８の四隅部に合成樹脂製或いはゴム製の脚部材６０をネジ止めする。このとき、脚部材６０を覆い隠す飾り部材６１を設けることが好ましい。飾り部材６１は、図８に示すように、コンロ器体４の周壁７の角部外面及び脚部材６０を覆う覆壁部６２と、覆壁部６２の内側に延設されてコンロ器体４の底壁８に連結する連結板６３とを備えている。
【００６６】
覆壁部６２は、図７に示すように、脚部材６０の下端よりも僅かに高い位置までを覆うことにより、脚部材６０の接地を阻害しないようになっている。連結板６３は、コンロ器体４の底壁８に形成されたネジ孔６４に合致するネジ貫通孔６５を備えている。飾り部材６１は、連結板６３をコンロ器体４の底壁８と脚部材６０との間に配置し、脚部材６０をネジ部材６６で取り付けることにより脚部材６０と共にコンロ器体４の底壁８に固定される。
【００６７】
飾り部材６１は、合成樹脂や金属等で形成することができるが、アルミニウム等の美観の高い材料で形成することが好ましい。これにより、テーブルコンロとして使用するガスコンロ１に高級感を付与することができるだけでなく、手入れ性もよい。
【００６８】
また、図４に示すように、コンロ器体４の後壁７ｂに設けられたガスホース接続部４１は、その先端（燃料ガス流の上流側）が僅かに下方に傾いている。この傾斜は、本実施形態においては、水平に対して約６°に設定されている。これによれば、ガスコンロ１をテーブルコンロとして使用する場合に、図示しないガスホースの接続作業性が容易となり、また、ガスホースに無理な屈曲を生じさせることなく良好な配管状態とすることができる。従って、ガスホースにおける燃料ガスの円滑な流動が維持できると共にガスホースの耐久性の低下も防止できる。
【００６９】
なお、本実施形態のガスコンロ１をテーブルコンロとして使用しない場合には、コンロ器体４の底壁８にネジ孔６４（図８参照）を形成しておく必要はない。また、普段はガスコンロ１をドロップインコンロとして使用しているが、ガスコンロ１をカウンタトップ２から取り外してテーブルコンロとして使用することが考えられるときには、予め脚部材６０と飾り部材６１とをコンロ器体４に取り付けた状態でガスコンロ１をカウンタトップ２に設置してもよい。
【符号の説明】
【００７０】
１…ガスコンロ、２…カウンタトップ、４…コンロ器体、５…天板部、６…コンロバーナ、１０…天面板、１１…枠体、２９…レバー貫通孔（貫通孔）、３７…操作手段、４９…操作レバー（操作柄部）、５６…操作摘み。
【図１】
2013124850.tif 000003
【図２】
2013124850.tif 000004
【図３】
2013124850.tif 000005
【図４】
2013124850.tif 000006
【図５】
2013124850.tif 000007
【図６】
2013124850.tif 000008
【図７】
2013124850.tif 000009
【図８】
2013124850.tif 000010